(57)【要約】      （修正有）【課題】小物入れ兼用フィットネスタオルを提供する。【解決手段】タオル本体１は横方向に長く、縦方向に短くしたほぼ通常のバスタオルの形状とし、タオル本体の左端にはタオル延長部１１が設けられ右端には小物入れ本体６を設け、タオル延長部の右端でタオル本体の左端には、カシメボタン９が上下に取り付けられ、小物入れ本体の左端でタオル本体の右側にはカシメボタン３が上下に取り付け、更に下側のカシメボタンの右側には水筒やロッカーキーをぶら下げる為にハトメの穴１６にカラビナを引っ掛け、タオル本体の上部にマシン取付部を突出して設けた小物入れ兼用フィットネスタオル。【選択図】図１
2020108484.tif 000002
【特許請求の範囲】
【請求項１】
（イ）タオル本体（１）は横方向に長く、縦方向に短くしたほぼ通常のバスタオルの形状とし、
（ロ）タオル本体（１）の左端にはタオル延長部（１１）が設けられ右端には小物入れ本体（６）が設けられ、
（ハ）タオル延長部（１１）の右端でタオル本体（１）の左端には、カシメボタン（９）が上下に取り付けられ小物入れ本体（６）の左端でタオル本体（１）の右側にはカシメボタン（３）が上下に取り付け、
（二）小物入れ本体（６）は前面がメッシュ部（７）で形成されジッパー（８）の開閉によって小物が収納出来るように設けられ小物入れ本体（６）の右端の上下にはカシメボタン（２）が設けられている、
以上のように構成された、小物入れ兼用フィットネスタオル。
【請求項２】
タオル本体（１）にハトメを取付けるための穴（１６）を設けた、請求項１の小物入れ兼用フィットネスタオル。
【請求項３】
タオル本体（１）の上部にマシン取付部（４）を設けた請求項２の小物入れ兼用フィットネスタオル。
【発明の詳細な説明】
【技術分野】
【０００１】  本発明はフィットネスジム等で使用する、小物入れ兼用フィットネスタオルに関するものである。
【背景技術】
【０００２】  従来フィットネスジム等でトレーニングをする時、汗を拭く時やマシンを使用する時、他人がマシン使用しているので、汗がマシンのシートに付かないようにバスタオルを敷いて使用していた。
【発明の概要】
【発明が解決しようとする課題】
【０００３】  フィットネスジム等でトレーニングをすると汗を掻くので、ハンドタオルやバスタオルが必要だった。
マシンを使用するとシートに汗が付くため、拭くのに手間が掛かっていた。シートに汗が付いたままトレーニングすると滑ってしまい危険性があり、シートに汗が付いているとシート地の硬化や劣化を早めてしまう。
ハンドタオルやバスタオル、ロッカーキー、ドリンク、携帯電話、財布、サプリメント等を自分専用のバックに入れ持ち歩いていたが置く場所もなく荷物がかさばっていた。
【課題を解決するための手段】
【０００４】（イ）タオル本体（１）は横方向に長く、縦方向に短くしたほぼ通常のバスタオルの形状とする。
（ロ）タオル本体（１）の左端にはタオル延長部（１１）が設けられ右端には小物入れ本体（６）が設けられている。
（ハ）タオル延長部（１１）の右端でタオル本体（１）の左端には、カシメボタン（９）が上下に取り付けられ、小物入れ本体（６）の左端でタオル本体（１）の右側にはカシメボタン（３）が上下に取り付けられている。
（二）更に前記した下側のカシメボタン（３）の右側には水筒やロッカーキーをぶら下げる為にハトメ（１０）の穴（１６）にカラビナ（１４）を引っ掛けるようにする。
（ホ）タオル本体（１）にはハトメを取付けるための穴（１６）を設ける。
（ヘ）タオル本体（１）の上部にマシン取付部（４）を突出して設ける。
以上のように構成された小物入れ兼用フィットネスタオル。
【発明の効果】
【０００５】  本発明タオルは先端が袋状になっているので、マシンのシートにタオルをかけやすく、タオルがシートからずれなくなった。
フィットネスジム等でトレーニングをする時、マシンのシートにタオルを敷くので、汗がマシンのシートに付かない。又、マシンのシートにタオル掛けるので、荷物の置き場所に困らない。シートが無いマシンでも磁石でマシン本体にタオルを固定出来るので、置き場所に困らない。
小物入れ兼用フィットネスタオルはバックからタオルを出さなくても、汗が拭けて手間が掛からない。
小物入れ部分もメッシュになっているので、何が入っているか一目で分かる。また携帯電話も小物入れ部分がメッシュになっているので、画面の確認やタッチパネルの操作が、小物入れから出さずに行えて便利になっている。
マシンのシートの長さに対応するためにタオルが延長出来る。ロッカーキー等、トレーニング時に手首に引っかかってしまうものを終えるので、邪魔にならずにトレーニングに専念できるので、安全である。
【図面の簡単な説明】
【０００６】
【図１】本発明の小物入れ兼用フィットネスタオルを展開した状態図
【図２】本発明の図１の小物入れ本体を畳んだ状態図
【図３】延長用タオルを取り外した状態図
【図４】本発明の使用状態図
【図５】本発明をマシンのフレームに取り付けた状態図
【図６】本発明をシートに置いた使用状態図
【図７】本発明をインクラインベンチに置いた使用状態図
【図８】本発明の小物入れ部分を縫い付けた状態図
【発明を実施するための形態】
【０００７】  以下、本発明の実施の形態について説明する。
（イ）タオル本体（１）は横方向に長く、縦方向に短くしたほぼ通常のバスタオルの形状とする。
（ロ）タオル本体（１）の左端にはタオル延長部（１１）が設けられ右端には小物入れ本体（６）が設けられている。
（ハ）タオル延長部（１１）の右端でタオル本体（１）の左端には、カシメボタン（９）が上下に取り付けられ小物入れ本体（６）の左端でタオル本体（１）の右側にはカシメボタン（３）が上下に取り付けられている。
【０００８】（二）更に前記した下側のカシメボタン（３）の右側には水筒やロッカーキーをぶら下げる為に図７に示したようにハトメ（１０）の穴（１６）にカラビナ（１４）を引っ掛けるようにする。
（ホ）タオル本体（１）の右側の上部にはマシン取付部（４）が設けられ、磁石（５）が取付けられ、図８に示されたようにトレーニングマシン本体（１６）にタオル本体（１）が固定出来るように設けてある。
（ヘ）図１に示された、小物入れ本体（６）は前面がメッシュ部（７）で形成されジッパー（８）の開閉によって小物が収納出来るように設けられ小物入れ本体（６）の右端の上下にはカシメボタン（２）が設けられている。
（ト）図２は図１で示された小物入れ本体（６）を左側に畳みカシメボタン（２）をカシメボタン（３）に合わせる事によって、折り畳んだ状態を示している。
本発明は以上のような構造である。
（チ）図８に示した、タオル本体（１）の小物入れ本体（６）がトレーニングの動きによってトレーニングマシン本体（１８）から外れないように補強するために、縫目（１７）を上下に設けることによって、トレーニングマシン本体（１８）に取付けることでトレーニング中にタオル本体（１）が外れにくくなる。
【０００９】  本発明を使用する時は、
（イ）ジムのロッカーからトレーニングフロアに入るとき、図１に示すようにタオル本体（１）の小物入れ本体（６）のメッシュ部（７）のジッパー（８）を開いて、ペットボトル（１２）や携帯電話（１３）等の荷物を入れジッパー（８）を閉めてトレーニングフロアにタオル本体（１）を持参する。
（ロ）ロッカーを閉めて、そのロッカーキーをカラビナ（１４）に取付けるようにする。
（ハ）タオル本体（１）を図１から図２のように畳む事で、小物入れ本体（６）が内側になるので、外部から小物入れ本体（６）に入っている物が見えなくなる。
【００１０】（二）トレーニングマシン本体（１８）にタオル本体（１）を図２の状態で掛ける事によって図７に示すように、トレーニングマシン本体（１８）のシート部の頭部に小物入れ本体（６）を図２の矢印のように挿入することによって、小物入れ本体（６）は裏側に収納される。
（ホ）タオル本体（１）を取り付けることが出来ない、図５に示したトレーニングマシンの金属部分（１９）にマシン取付部（４）に取り付けられた磁石（５）を金属部分に取り付ける事によって、タオル本体（１）が取り付けられるので、荷物を別の場所に置く事もなくなった。
【符号の説明】
【００１１】１タオル本体、  ２カシメボタン、  ３カシメボタン、  ４マシン取付部、
５磁石、  ６小物入れ本体、  ７メッシュ部、  ８ジッパー、
９カシメボタン、  １０ハトメ、  １１タオル延長部、  １２ペットボトル、
１３携帯電話、  １４カラビナ、  １５カシメボタン、  １６穴、
１７、縫目、  １８トレーニングマシン本体、  １９トレーニングマシンの金属部分
【図１】
2020108484.tif 000003
【図２】
2020108484.tif 000004
【図３】
2020108484.tif 000005
【図４】
2020108484.tif 000006
【図５】
2020108484.tif 000007
【図６】
2020108484.tif 000008
【図７】
2020108484.tif 000009
【図８】
2020108484.tif 000010